(57)【要約】      （修正有）【課題】映り込みの改善と、映像光の鮮鋭度およびコントラストの向上とを両立することができるプラズマディスプレイパネルを提供する。【解決手段】プラズマディスプレイパネル１０は、前面板２００の観察者側に配置される前面フィルタ３００を備える。前面フィルタ３００は、ヘイズ値をＨＺとし、蛍光体層１３０から前面フィルタ３００の観察者側の表面までの区間を構成する物質について各物質が占める長さをそれぞれの物質の屈折率で割った値の積算値である空気換算距離をＬとするとき、次の式を満足する。2009128809.tif 000012【選択図】図１
2009128809.tif 000002
【特許請求の範囲】
【請求項１】
互いに離隔して配置される前面板および背面板と、
前記前面板と前記背面板との間に形成される放電空間を区画する隔壁と、
前記隔壁により区画された放電セル内に形成される蛍光体層と、
前記前面板および前記背面板にそれぞれ配列され、前記放電セル内で放電を発生させる電極と、
前記前面板の観察者側に配置される前面フィルタと、
を備えるプラズマディスプレイパネルにおいて、
前記前面フィルタは、
ヘイズ値をＨＺとし、前記蛍光体層から前記前面フィルタの観察者側の表面までの区間を構成する物質について各物質が占める長さをそれぞれの物質の屈折率で割った値の積算値である空気換算距離をＬとするとき、次の式を満足する、
プラズマディスプレイパネル。
【数１】
2009128809.tif 000010
【請求項２】
前記前面フィルタのヘイズ値をＨＺとし、前記前面フィルタの観察者側の表面の凹凸の中心点平均粗さをＲａＳとし、前記表面の凹凸の平均ピッチをＰＳとするとき、次の式を満足する、
請求項１記載のプラズマディスプレイパネル。
【数２】
2009128809.tif 000011
【発明の詳細な説明】
【技術分野】
【０００１】
本発明は、プラズマディスプレイパネルに係り、特に、前面フィルタを配置したプラズマディスプレイパネルに関する。
【背景技術】
【０００２】
プラズマディスプレイ（plasma display）やＣＲＴディスプレイ（cathode-ray tube display）などの自発光型ディスプレイは、視野角の依存性が無く自然な映像が得られることから広く使用されている。特にプラズマディスプレイは、薄型であり、かつ大画面を構成するのに最適であることから、急速に普及が進んでいる。
【０００３】
ところが、プラズマディスプレイを含む各種ディスプレイ装置では、表示映像の視認性を低下させる映り込みが問題とされることが多い。ディスプレイ装置の映り込みは、室内の蛍光灯の光や観察者などの像が、表示部よりも映像を観察する者が位置する側（以下「観察者側」という）にある複数のフラットな平面に外光として入射し、その平面で正反射することに起因する。
【０００４】
そこで、映り込みの防止作用（防眩作用）を有するフィルタが、従来提案されている（例えば、特許文献１参照）。特許文献１記載のフィルタは、微粒子の凝集部を点在させて最表面に凹凸形状を形成している。このフィルタをディスプレイ装置の観察者側に配置することにより、外光をフィルタの最表面において拡散反射させることができ、映り込みを改善することができる。以下、防眩作用を有し、ディスプレイ装置の観察者側に配置されるフィルタを、「前面フィルタ」という。
【特許文献１】特開２００５−３１６４５０号公報
【発明の開示】
【発明が解決しようとする課題】
【０００５】
しかしながら、特許文献１記載の前面フィルタをプラズマディスプレイパネルに用いた場合、液晶ディスプレイに比べて、本来の映像光が不鮮明になる度合いが強いという問題がある。なぜなら、プラズマディスプレイパネルは、液晶ディスプレイと比較して、映像光を出力する背面板から前面フィルタ最表面までの距離が長く、映像光が前面フィルタの最表面を透過するときの拡散による鮮鋭度の低下の度合いがより大きくなるためである。
【０００６】
また、プラズマディスプレイパネルの内部に進入した外光が前面板表面などで正反射することにより発生する映り込みについては、抑制が難しいという問題がある。なぜなら、前面フィルタの最表面の粗さの度合いに対する屈折光の感度は反射光のそれに比べて弱く、内部反射による映り込みを改善するために最表面を粗くしようとすると、表面拡散が増大して映像光のコントラストが低下するためである。
【０００７】
したがって、特許文献１記載の前面フィルタを用いたプラズマディスプレイパネルでは、映り込みの改善と、映像光の鮮鋭度およびコントラストの向上とを両立することが難しい。
【０００８】
本発明は、かかる点に鑑みてなされたものであり、映り込みの改善と、映像光の鮮鋭度およびコントラストの向上とを両立することができるプラズマディスプレイパネルを提供することを目的とする。
【課題を解決するための手段】
【０００９】
本発明のプラズマディスプレイパネルは、互いに離隔して配置される前面板および背面板と、前記前面板と前記背面板との間に形成される放電空間を区画する隔壁と、前記隔壁により区画された放電セル内に形成される蛍光体層と、前記前面板および前記背面板にそれぞれ配列され、前記放電セル内で放電を発生させる電極と、前記前面板の観察者側に配置される前面フィルタと、を備えるプラズマディスプレイパネルにおいて、前記前面フィルタは、ヘイズ値をＨＺとし、前記蛍光体層から前記前面フィルタの観察者側の表面までの区間を構成する物質について各物質が占める長さをそれぞれの物質の屈折率で割った値の積算値である空気換算距離をＬとするとき、次の式を満足する構成を採る。
【数１】
2009128809.tif 000003
【発明の効果】
【００１０】
本発明によれば、前面フィルタのヘイズ値ＨＺとプラズマディスプレイパネルの空気換算距離Ｌとの関係で、映り込みを抑えかつ鮮鋭な映像を得ることができる条件を規定したため、かかる条件に基づいて、映り込みの改善と、映像光の鮮鋭度およびコントラストの向上とを両立することができる。
【発明を実施するための最良の形態】
【００１１】
以下、本発明の一実施の形態について、図面を参照して詳細に説明する。
【００１２】
図１は、本発明の一実施の形態に係るプラズマディスプレイパネルの概略部分断面図である。図１では、本実施の形態に係るプラズマディスプレイパネルの特徴的な構成を示しており、その他の部分については図示および説明を一部省略する。
【００１３】
図１に示すように、プラズマディスプレイパネル１０は、互いに離隔して配置された背面板１００、前面板２００、および前面フィルタ３００を、この順に平行に重ねて構成される。背面板１００と前面板２００との間の空間には、プラズマ放電を発生させる放電空間が形成されている。放電空間には、ヘリウム（Ｈｅ）、ネオン（Ｎｅ）、キセノン（Ｘｅ）、アルゴン（Ａｒ）などを混合した所定の放電ガスが封入されている。
【００１４】
背面板１００には、絶縁体層で覆われたデータ電極（図示せず）と、データ電極と平行に配置されたストライプ状の複数の隔壁１１０とが形成されている。上記した放電空間は、隔壁１１０により複数の区画に仕切られており、単位発光領域となる複数の放電セル１２０を形成している。３つの隣り合う放電セル１２０の内壁には、赤色（Ｒ）、緑色（Ｇ）、青色（Ｂ）の各蛍光体が放電セル毎に色分け塗布され、蛍光体層１３０が形成されている。
【００１５】
前面板２００には、電極、誘電体層、および保護膜などの、プラズマディスプレイパネルとしての機能を実現するための各種構成要素（図示せず）がそれぞれ適切な位置に形成されている。例えば、前面板２００には、図示しないが、走査電極と維持電極とで対をなすストライプ状の表示電極が複数形成され、表示電極を覆うように誘電体層が形成され、更に誘電体層上に保護層が形成されている。誘電体層は、例えば、低融点ガラスから成り、保護層は、例えば、酸化マグネシウム（ＭｇＯ）から成る。
【００１６】
前面フィルタ３００は、例えば、ポリエステルなどの熱可塑性樹脂から成る透明板３１０を基材とし、透明板３１０に、電磁波遮断フィルタ、赤外線カットフィルタ、および色調整フィルタ（いずれも図示せず）を積層して構成される。前面フィルタ３００は、更に、透明板３１０の観察者側に、それぞれ樹脂で構成された表面拡散層３２０および内部拡散層３３０を一体的に積層して成る防眩層を備えて構成される。防眩層は、接着層３４０を介して透明板３１０に接着されている。表面拡散層３２０は、最も観察者側に配置されている。
【００１７】
前面フィルタ３００の表面拡散層３２０は、観察者側の表面、つまり前面フィルタ３００の空気界面として、微細な凹凸を構成している表面凹凸面３５０を有する。
【００１８】
前面フィルタ３００の内部拡散層３３０は、透過光に対し拡散作用を与える。具体的には、内部拡散層３３０は、例えば、樹脂で形成された薄い層内に、この屈折率の異なる微粒子を混ぜ込むことにより形成される。内部拡散層３３０の拡散の特性は、微粒子の屈折率、粒径、形状、粒子層内における粒子の濃度、および分散度合いなどによりコントロールすることが可能である。微粒子としては、例えば、粒径が１μｍ（マイクロメートル）〜５μｍであって、球形状または楕円形状などの、シリカビーズまたは樹脂ビーズを適用することができる。
【００１９】
このように構成されたプラズマディスプレイパネル１０において、電極間に電圧が印加されると、放電セル１２０に放電が発生し、例えば、混合ガス中のヘリウム原子が励起されて紫外線を発生する。そして、この紫外線によって蛍光体層１３０が励起され、可視光が発生する。
【００２０】
映り込みの原因となる外光（以下単に「外光」という）の一部は、表面凹凸面３５０で反射する。
【００２１】
図２は、表面凹凸面３５０における反射光の様子を模式的に示す図である。
【００２２】
図２に示すように、表面凹凸面３５０は微細な凹凸構造を有しているため、外光４００の反射光４１０は拡散される。これにより、表面凹凸面３５０での反射は乱反射となり、その結果、映り込みは低減する。すなわち、表面凹凸面３５０での反射による映り込みの程度は、表面凹凸面３５０が反射光に対して作用する反射による拡散（以下「反射拡散」という）の程度によって決まる。
【００２３】
一方、表面凹凸面３５０で反射せずにパネル内部に進入した外光（以下「進入光」という）の大部分は、透明板３１０の前面板２００側の空気界面３６０で反射する。
【００２４】
図３は、空気界面３６０で反射する進入光の様子を模式的に示す図である。なお、ここでは、表面拡散層３２０、内部拡散層３３０、接着層３４０、および透明板３１０の屈折率はほぼ同一であり、これらの各界面における進入光の反射および屈折は無視できるものとする。
【００２５】
図３に示すように、外光４００のうちパネル内部に進入した進入光４２０は、空気界面３６０で反射する前に、表面凹凸面３５０で屈折し、内部拡散層３３０で屈折作用を受けながら拡散作用を受ける。進入光４２０は、更に、空気界面３６０で反射し、その反射光４３０も、内部拡散層３３０で拡散作用を受け、表面凹凸面３５０で屈折する。したがって、空気界面３６０で反射する進入光は、個々の屈折作用や拡散作用が小さくても、その作用が累積することにより、十分に散乱して観察者方向に戻ることになり、観察者側から見たときは、反射光４３０は拡散して反射しているように見える。すなわち、空気界面３６０での反射による映り込みの程度は、表面凹凸面３５０が進入光に対して作用する拡散の程度と、内部拡散層３３０が進入光に対して作用する拡散の程度とによって決まる。
【００２６】
映り込み像は、表面凹凸面３５０における反射光と空気界面３６０における反射光との合成で構成される。映り込みを低減するには、それぞれの反射光が十分に拡散していなければならない。空気界面３６０での反射による映り込みを低減するためには、表面凹凸面３５０が進入光に対して作用する拡散の程度と、内部拡散層３３０が進入光に対して作用する拡散の程度とを大きくしなければならない。ところが、表面凹凸面３５０が作用する屈折拡散の程度を大きくすると、表面拡散が増大し、映像光のコントラスト低下も大きくなるため好ましくない。
【００２７】
本発明者は、従来のプラズマディスプレイパネルの前面フィルタの表面において、表面拡散は主に映り込みの程度に影響しており、内部拡散は主に映像光の鮮鋭度に影響していることに気が付いた。このことから、本発明者は、前面フィルタの表面における正反射を減らす手段として主に表面拡散を利用し、前面フィルタの裏面における正反射を減らす手段として主に内部拡散を利用することで、映り込みの改善と、映像光の鮮鋭度およびコントラストの維持とを両立できることを見出した。
【００２８】
そこで、本実施の形態に係るプラズマディスプレイパネル１０では、表面凹凸面３５０が進入光に対して作用する拡散（以下「屈折拡散」という）の程度を制限し、その代わりに、内部拡散層３３０の透過拡散を利用する。これにより、前面フィルタ３００表面の粗さを抑えて、映り込みの改善を図ることができる。
【００２９】
ただし、映像光の鮮鋭度は、表示部と拡散面との距離、つまり背面板１００と表面凹凸面３５０との距離に影響される。これは、光源と観察者の間に存在する拡散面のうち、光源からの光の透過領域を二次光源として取り扱うことができるが、通常、光源の光は四方八方に出射され二次光源の大きさは拡散面と光源との距離が長いほど大きくなり、また、二次光源の大きさが大きいほど光源の像の鮮鋭度は低下するためである。
【００３０】
したがって、表示部と拡散面との距離に応じて、表面凹凸面３５０の反射拡散の程度と、表面凹凸面３５０の屈折拡散の程度と、内部拡散層３３０の透過拡散の程度とをコントロールする必要がある。ここでは、表面凹凸面３５０の反射拡散の程度および屈折拡散の程度ならびに内部拡散層３３０の透過拡散の程度を、「拡散条件」と総称する。
【００３１】
以下、プラズマディスプレイパネル１０における拡散条件のコントロールについて説明する。
【００３２】
まず、拡散条件のコントロールの基準となる距離について説明する。
【００３３】
図４は、拡散条件のコントロールの基準となる距離を説明するための図であり、図１に対応するものである。
【００３４】
ここでは、図４に示すように、拡散条件のコントロールの基準となる距離Ｌを、プラズマディスプレイパネル１０の表示部である蛍光体層１３０から、前面フィルタ３００の表面凹凸面３５０までの距離と定義する。ただし、距離Ｌは、蛍光体層１３０から表面凹凸面３５０までの区間を構成する物質について、各物質が占める長さをそれぞれの物質の屈折率で割った値の積算値である（以下「空気換算距離」という）。例えば、屈折率１.５のガラスの１ｍｍと、屈折率１.０の空気の１ｍｍとを合わせたときの空気換算距離は、１／１.５＋１／１＝１．６７と算出することができる。
【００３５】
蛍光体からの映像光は、拡散しながら観察者側へ進み、観察者に観察される。映像光は、表面凹凸面３５０および内部拡散層３３０を透過するときに拡散作用を受けるため、観察者に観察される映像の鮮鋭度は、本来の映像に比べて劣化する。鮮鋭度の劣化は、空気換算距離Ｌが長いほど大きくなる。
【００３６】
次に、観測者側で観測される映像光の鮮鋭度を維持するための拡散条件について説明する。
【００３７】
ここで、観測者側で観測される映像光の鮮鋭度を表わす指標として、元の映像の鮮鋭度をどの程度再現できるかを示す評価関数であるＭＴＦ（modulation transfer function）を採用する。特に、映像光が前面フィルタ３００を透過する際のＭＴＦを、「透過ＭＴＦ」と表記する。
【００３８】
ディスプレイ装置の映像で再現すべき最も高い空間周波数は、表示素子のピッチに依存し、４０インチ前後のプラズマディスプレイパネルでは約０.６ｌｐ／ｍｍ（ラインペア  パー  ミリメートル）である。また、映像光の鮮鋭度として許容される透過ＭＴＦの下限値は、０.７である。したがって、許容される映像光の鮮鋭度の最小値として、空間周波数０.６ｌｐ／ｍｍにおいて、透過ＭＴＦ＝０.７を採用する。透過ＭＴＦが０.７以上の場合に、映像光の鮮鋭度が維持されているとみなすことができる。
【００３９】
なお、例えば、４２インチのプラズマディスプレイパネルの前面に、通常と同じ距離を離して０.６ｌｐ／ｍｍにおいて透過ＭＴＦ＝０.７の前面フィルタを配置した場合、正面方向から観察すると問題は無いが、斜め方向から観察すると映像の鮮鋭度の低下が認識される。これは、観察する光路に沿って測ったときの前面フィルタから蛍光体層までの距離が、正面方向から観察する場合よりも、斜め方向から観察する場合のほうが大きくなり、その結果、斜め方向における見かけ上の透過ＭＴＦが０.７よりも小さくなるためである。したがって、本実施の形態では、前面フィルタ３００の透過ＭＴＦを０.７としているが、観察者が映像を観察し得る斜め方向からの角度においても、透過ＭＴＦ０.７以上を確保できることが望ましい。
【００４０】
また、前面フィルタ３００の拡散条件を示す特性値として、可視光を照射したときの全透過光に対する拡散透過光の割合を示すヘイズ値（haze factor）を採用する。前面フィルタ３００全体のヘイズ値は、表面凹凸面３５０および内部拡散層３３０のそれぞれの屈折拡散の程度で決まる。
【００４１】
図５は、観測者側で観測される映像光の鮮鋭度の許容最小値を定めたときの、空気換算距離Ｌと前面フィルタ３００の拡散条件との関係を示す図である。
【００４２】
図５において、横軸は図４で説明した空気換算距離Ｌをミリメートル（ｍｍ）単位で示し、縦軸は前面フィルタ３００のヘイズ値をパーセント（％）単位で示している。また、四角で表されるポイント群５１０は、実験により得られた、空間周波数０.６ｌｐ／ｍｍで透過ＭＴＦ＝０.７となる空気換算距離Ｌと前面フィルタのヘイズ値ＨＺとの組み合わせをプロットしたものである。そして、三角で表されるポイント群５２０は、実験により得られた、空間周波数０.６ｌｐ／ｍｍで透過ＭＴＦ＝０.９５となる空気換算距離Ｌと前面フィルタのヘイズ値ＨＺとの組み合わせをプロットしたものである。透過ＭＴＦは、値「１」に近ければ近いほど拡散の度合いが低く、映像光の先鋭度を高く維持できることを示す。
【００４３】
前面フィルタ３００のヘイズ値ＨＺは、空気換算距離Ｌがゼロのときは無限大になる。また、前面フィルタ３００の透過ＭＴＦは、ヘイズ値ＨＺがゼロのときには空気換算距離Ｌが無限大でも低下しない。また、回帰曲線は、相関係数の二乗が０.７を超える場合に、十分に高い精度とみなすことができる。これらのことから、ヘイズ値ＨＺを１／Ｌの多項式で表わすことができると仮定し、ポイント群５１０の回帰曲線を、相関係数の二乗が０.７を超える最も次数の低い多項式近似で求めると、次の式（１）となる。
【数２】
2009128809.tif 000004
【００４４】
式（１）を表したものが、曲線５３０である。すなわち、曲線５３０は、空間周波数０.６ｌｐ／ｍｍで透過ＭＴＦ＝０.７となる拡散条件の等高線を表している。曲線５３０は、空気換算距離Ｌが短いほど高いヘイズ値を採り、空気換算距離Ｌの増加に伴って二次曲線的に減少する。したがって、空気換算距離Ｌが大きくなるような構造をとった場合に、透過ＭＴＦを０.７に維持して映像光の鮮鋭度を維持するためには、前面フィルタ３００のヘイズ値を小さくする必要がある。
【００４５】
また、同様に、ポイント群５２０の回帰曲線を求めると、次の式（２）で示される。
【数３】
2009128809.tif 000005
【００４６】
式（２）を表したものが、曲線５４０である。すなわち、曲線５４０は、空間周波数０.６ｌｐ／ｍｍで透過ＭＴＦ＝０.９５となる拡散条件の等高線を表している。
【００４７】
曲線５４０は、曲線５３０と交差することなく、曲線５３０の左下側に位置している。また、例えば、ヘイズ値ＨＺまたは空気換算距離Ｌの一方の値を固定して他方の値を減少させたときには、当然に、透過ＭＴＦは増加する。すなわち、図中において、曲線５３０よりも左側または下側は、透過ＭＴＦが０.７よりも高く、映像光の鮮鋭度が維持されているとみなすことができる領域である。また、曲線５３０より右側または上側は、透過ＭＴＦが０.７よりも低く、映像光の鮮鋭度が維持されていないとみなすことができる領域である。
【００４８】
したがって、映像光の鮮鋭度が維持されるのは、前面フィルタ３００のヘイズ値ＨＺが次の式（３）を満足する場合である。
【数４】
2009128809.tif 000006
【００４９】
式（３）を満たすように前面フィルタ３００を構成することで、映像光の鮮鋭度の低下を防ぐことができる。すなわち、式（３）は、映像光の鮮鋭度向上の観点から、表示部から表面凹凸面３５０までの空気換算距離Ｌに応じて前面フィルタ３００のヘイズ値ＨＺの最大値を規定するものである。前面フィルタ３００のヘイズ値ＨＺが式（１）により規定される最大値を超えると、映像光の鮮鋭度が低下し、ディスプレイとして好ましくない。
【００５０】
次に、映り込みを低減し、かつ観測者側で観測される映像光のコントラストを維持するための拡散条件について説明する。
【００５１】
ここで、映り込みの程度および観測者側で観測される映像光のコントラストの指標として、ＭＴＦを採用し、特に、外光が前面フィルタ３００で反射する際のＭＴＦを、「反射ＭＴＦ」と表記する。
【００５２】
ディスプレイ装置の映り込みにおいて映像の視認性に最も影響を及ぼす空間周波数は、周囲環境に依存し、一般的には約０.０６ｌｐ／ｍｍである。また、映り込みの程度として許容される反射ＭＴＦの上限値は、０.３である。したがって、許容される映り込みの程度の最大値として、空間周波数０.０６ｌｐ／ｍｍにおいて、反射ＭＴＦ＝０.３を採用する。反射ＭＴＦが０.３以下の場合に、映り込みが許容範囲内であるとみなすことができる。
【００５３】
また、反射拡散の程度および屈折拡散の程度は凹凸の微細部分の傾斜角に比例することから、表面凹凸面３５０の拡散条件を示す特性値として、表面凹凸面３５０の三次元形状により算出される表面粗さＲａ（中心点平均粗さ）を凹凸の平均ピッチで除した値を採用する。
【００５４】
図６は、外光の映り込みの許容最大値を定めたときの、表面凹凸面３５０の表面粗さ（以下「ＲａＳ」と表記する）／平均ピッチ（以下「ＰＳ」と表記する）と前面フィルタのヘイズ値ＨＺとの関係を示す図である。
【００５５】
図６において、横軸はＲａＳ／ＰＳを示し、縦軸は前面フィルタ３００のヘイズ値をパーセント（％）で表わしている。また、四角で表わされるポイント群６１０は、実験により得られた、空間周波数０.０６ｌｐ／ｍｍで反射ＭＴＦ＝０.３となるＲａＳ／ＰＳと前面フィルタのヘイズ値ＨＺとの組み合わせをプロットしたものである。反射ＭＴＦは、値「１」に近ければ近いほど拡散の度合いが低く、コントラストを高く維持できることを示す。
【００５６】
図５におけるポイント群５１０と同様にポイント群６１０の回帰直線を求めると、次の式（４）で示される。
【数５】
2009128809.tif 000007
【００５７】
式（４）を示したものが、直線６２０である。すなわち、直線６２０は、空間周波数０.０６ｌｐ／ｍｍでの反射ＭＴＦ＝０.３の等高線を表わしている。
【００５８】
図中において、直線６２０よりも右側または上側は、反射ＭＴＦが０.３よりも低く、映り込みが許容範囲内であるとみなすことができる領域である。また、直線６２０よりも左側または下側は、反射ＭＴＦが０.３よりも高く、映り込みが許容範囲外であるとみなすことができる領域である。
【００５９】
したがって、映り込みが許容範囲内となるのは、表面凹凸面３５０のＲａＳ／ＰＳに対して、前面フィルタ３００が次の式（５）を満足する場合である。
【数６】
2009128809.tif 000008
【００６０】
式（５）を満たすように前面フィルタ３００を構成することで、映り込みを許容範囲無いとすることができる。すなわち、式（５）は、映り込みの改善の観点から、前面フィルタ３００のヘイズ値の許容範囲を内部拡散の程度との関係を規定するものである。表面凹凸面３５０のＲａＳ／ＰＳが式（５）で規定される下限を下回ると、映り込みの改善効果が少なくなる。
【００６１】
一方で、表面凹凸面３５０のＲａＳ／ＰＳの値が高くなると、映像のコントラストの低下を招く。これは、ＲａＳ／ＰＳが、いわば表面の凹凸の山の高さを山の底辺の長さで割ったものであって山の傾きに関係する値であり、山の傾きが大きければ大きいほど、大きな入射角で入射した外光が山の傾斜面で反射して正面の観察者に到達し易くなるためである。映像のコントラストとして許容されるＲａＳ／ＰＳの上限値は、０.００３である。したがって、ＲａＳ／ＰＳの値は、次の式（６）をも満足することが望ましい。
【数７】
2009128809.tif 000009
【００６２】
式（６）を満たすように前面フィルタ３００を構成することで、外光が入射したときのコントラスト低下を低減することができる。ＲａＳ／ＰＳの値が式（６）の上限を超えると、外光に対するコントラストの低下が大きくなる。すなわち、式（６）は、コントラスト向上の観点から、表面凹凸面３５０のＲａＳ／ＰＳの範囲を規定するものである。
【００６３】
上記の式（３）、式（５）、および式（６）を満たすように、プラズマディスプレイパネル１０の拡散条件を決定し、決定した拡散条件に従ってプラズマディスプレイパネル１０を構成することにより、映り込みの改善と、映像光の鮮鋭度およびコントラストの向上とを両立することができる。
【００６４】
以上説明したように、本実施の形態に係るプラズマディスプレイパネル１０によれば、前面フィルタ３００のヘイズ値ＨＺとプラズマディスプレイパネルの空気換算距離Ｌとの関係で規定される、映り込みを抑え鮮鋭な映像を得ることができる条件に基づいた構成を採る。これにより、映り込みの改善と、映像光の鮮鋭度およびコントラストの向上とを両立することができる。また、前面フィルタ３００のヘイズ値ＨＺは調整が比較的容易であるため、映り込みの改善と、映像光の鮮鋭度およびコントラストの向上との両立を、容易に実現することができる。
【００６５】
また、前面フィルタ３００は、観察者側に凹凸を有する表面拡散層３２０に加えて内部拡散層３３０を有する。これにより、パネル内部に進入した外光に対し、表面拡散のみならず、内部拡散の作用を与えることができるため、前面フィルタ３００の表面の粗さを抑えて、映り込みを抑制することができる。しかも、映像光は内部拡散層３３０を１回のみ透過するのに対し、進入光は内部拡散層３３０を往復で２回透過するので、内部拡散層３３０における拡散の作用を、映像光よりもパネル内部に進入した外光に対してより強く与えることができる。すなわち、映像光の鮮鋭度およびコントラストの低下を抑えた状態で映り込みを抑制することができ、明るい場所にプラズマディスプレイパネル１０を設置する場合でも、映り込みを気にすることなく鮮鋭度の高い映像を提供することができる。
【００６６】
また、前面フィルタ３００のヘイズ値ＨＺと表面拡散層３２０の観察者側の表面の粗さとの関係で規定される、更にコントラストが向上した映像を得ることができる条件に基づいた構成を採る。これにより、コントラストの更なる向上を図ることができる。
【００６７】
なお、映り込みの程度、映像光の鮮鋭度、および映像光のコントラストの許容範囲として本実施の形態で記述した値は一例であり、上記許容範囲をなんら制限するものではない。プラズマディスプレイパネルのサイズ、解像度、使用場所、使用環境などに応じて、透過および反射のそれぞれにおける空間周波数およびＭＴＦに、様々な値を採用することができる。この場合には、図４〜図６で説明した手法により、プラズマディスプレイパネルの拡散条件をコントロールすればよい。
【産業上の利用可能性】
【００６８】
本発明に係るプラズマディスプレイパネルは、映り込みの改善と、映像光の鮮鋭度およびコントラストの向上とを両立することができるプラズマディスプレイパネルとして有用である。
【図面の簡単な説明】
【００６９】
【図１】本発明の一実施の形態に係るプラズマディスプレイパネルの概略部分断面図
【図２】本実施の形態における表面凹凸面における反射光の様子を模式的に示す図
【図３】本実施の形態における空気界面で反射する進入光の様子を模式的に示す図
【図４】本実施の形態における拡散条件のコントロールの基準となる距離を説明するための図
【図５】本実施の形態における映像光の鮮鋭度の許容最小値を定めたときの空気換算距離と前面フィルタの拡散条件との関係を示す図
【図６】本実施の形態における外光の映り込みの許容最大値を定めたときのＲａＳ／ＰＳと前面フィルタのヘイズ値ＨＺとの関係を示す図
【符号の説明】
【００７０】
１０  プラズマディスプレイパネル
１００  背面板
１１０  隔壁
１２０  放電セル
１３０  蛍光体層
２００  前面板
３００  前面フィルタ
３１０  透明板
３２０  表面拡散層
３３０  内部拡散層
３４０  接着層
３５０  表面凹凸面
３６０  空気界面
【図１】
2009128809.tif 000013
【図２】
2009128809.tif 000014
【図３】
2009128809.tif 000015
【図４】
2009128809.tif 000016
【図５】
2009128809.tif 000017
【図６】
2009128809.tif 000018